(57)【要約】【課題】冷蔵庫とキッチンの作業スペース間の距離を短縮してキッチンでの作業効率を高めることができるとともに、冷蔵庫の上方の空間を有効利用することができ、更には冷蔵庫を含めたキッチン、ダイニング及びリビング全体の意匠を統一することができるキッチンにおける冷蔵庫の設置構造を提供すること。【解決手段】垂直に起立する左右の支持板７と該支持板７によって水平に支持されたカウンター８とで形成される空間Ｓ内に、横方向に長い横型の冷蔵庫２を収納する。又、前記冷蔵庫２と前記支持板７及び前記カウンター８とを分離し、冷蔵庫２を前記空間Ｓに対して出し入れ可能とする。更に、前記冷蔵庫２の扉２ａ〜２ｄを引き出し式とする。【選択図】図２
2007292376.tif 000002
【特許請求の範囲】
【請求項１】
水平に支持されたカウンターで形成される空間内に、横方向に長い横型の冷蔵庫を収納したことを特徴とするキッチンにおける冷蔵庫の設置構造。
【請求項２】
前記冷蔵庫と前記カウンターとを分離し、冷蔵庫を前記空間に対して出し入れ可能としたことを特徴とする請求項１記載のキッチンにおける冷蔵庫の設置構造。
【請求項３】
前記冷蔵庫の扉を引き出し式としたことを特徴とする請求項１又は２記載のキッチンにおける冷蔵庫の設置構造。
【請求項４】
前記カウンターを作業台として使用することを特徴とする請求項１〜３の何れかに記載のキッチンにおける冷蔵庫の設置構造。
【請求項５】
前記カウンター上に収納棚を設置したことを特徴とする請求項１〜３の何れかに記載のキッチンにおける冷蔵庫の設置構造。
【発明の詳細な説明】
【技術分野】
【０００１】
本発明は、横方向に長い横型冷蔵庫のキッチンへの設置構造に関するものである。
【背景技術】
【０００２】
図６及び図７にキッチンにおける冷蔵庫の設置構造の従来例を示す。即ち、図６はキッチンの平面図、図７は図６の矢視Ｃ−Ｃ線方向の図であり、従来からキッチンには市販されている一般家庭用の冷蔵庫１０２が設置されているが、現在市販されている冷蔵庫１０２は縦方向に長い縦型であるため、例えば図示のような対面型キッチンの場合には、冷蔵庫１０２はキッチンの背面の端へ設置されることが多い。
【０００３】
尚、図示の対面型のキッチンにおいて、カウンター１０１にはシンク１０３と加熱機器１０４が設置されており、これらのシンク１０３と加熱機器１０４の間が調理スペースとなっている。そして、カウンター１０１の背面には食器棚１１６が設置され、その横に冷蔵庫１０２が設置されている。
【０００４】
ところで、キッチンの意匠的な配慮からビルトインタイプの冷蔵庫を採用したり（特許文献１参照）、ビルトインタイプの食器洗い乾燥器の下に冷蔵庫を組み込んで空間を有効利用する提案がなされている（特許文献２）。
【特許文献１】特開２００５−１７２４１３号公報
【特許文献２】特開２００５−３３７６８２号公報
【発明の開示】
【発明が解決しようとする課題】
【０００５】
図６及び図７に示したキッチンに設置されている市販の冷蔵庫１０２は前述のように縦方向に長い縦型であるため、配置的にキッチンの背面の端へ配置されることが多く、キッチンにおいて調理に使用する食材や調味料等を冷蔵庫１０２から取り出す場合、或る程度の距離を歩かなければそれらを冷蔵庫１０２から取り出すことができない。つまり、図６に示す冷蔵庫１０２とカウンター１０１上の調理スペース間の作業動線が長くなり、作業効率が悪いという問題があった。
【０００６】
又、冷蔵庫１０２の上の空間は高い位置にあるため、常用スペースとしては利用できず、殆ど無駄なデッドスペースとなっており、空間の有効利用がなされていないのが実情である。
【０００７】
更に、市販されている縦型の冷蔵庫１０２は、横方向に長いキッチン全体の意匠の統一性を崩してしまうという問題もある。キッチンメーカーでビルトインされて販売される特許文献１記載の冷蔵庫は、扉の意匠は周りの意匠と合ってはいるものの、市販の冷蔵庫と同様に縦方向に長いために、キッチンの中で目立ってしまい、キッチンやダイニング、リビング全体の意匠を崩してしまう。
【０００８】
ビルトインタイプの食器洗い乾燥器の下に組み込まれる特許文献２に記載の冷蔵庫は、容量的にも小さく、一般家庭用の冷蔵庫には不向きである。
【０００９】
本発明は上記問題に鑑みてなされたもので、その目的とする処は、冷蔵庫とキッチンの作業スペース間の距離を短縮してキッチンでの作業効率を高めることができるとともに、冷蔵庫の上方の空間を有効利用することができ、更には冷蔵庫を含めたキッチン、ダイニング及びリビング全体の意匠を統一することができるキッチンにおける冷蔵庫の設置構造を提供することにある。
【課題を解決するための手段】
【００１０】
上記目的を達成するため、請求項１記載の発明は、水平に支持されたカウンターで形成される空間内に、横方向に長い横型の冷蔵庫を収納したことを特徴とする。
【００１１】
請求項２記載の発明は、請求項１記載の発明において、前記冷蔵庫と前記カウンターとを分離し、冷蔵庫を前記空間に対して出し入れ可能としたことを特徴とする。
【００１２】
請求項３記載の発明は、請求項１又は２記載の発明において、前記冷蔵庫の扉を引き出し式としたことを特徴とする。
【００１３】
請求項４記載の発明は、請求項１〜３の何れかに記載の発明において、前記カウンターを作業台として使用することを特徴とする。
【００１４】
請求項５記載の発明は、請求項１〜３の何れかに記載の発明において、前記カウンター上に収納棚を設置したことを特徴とする。
【発明の効果】
【００１５】
請求項１記載の発明によれば、水平に支持されたカウンターで空間を形成し、その空間内に横方向に長い横型の冷蔵庫を収納する構成を採用したため、この横型の冷蔵庫を従来のようにキッチンの背面の端ではなく略中央に配置することができ、該冷蔵庫とキッチンカウンター上の調理スペース間の作業動線が短縮されて作業効率が高められる。又、横方向に長い横型の冷蔵庫の高さが低いため、その上方の空間を有効利用することができる。更に、横方向に長い横型の冷蔵庫は周りに溶け込んで目立つことがないため、該冷蔵庫を含めたキッチン、ダイニング及びリビング全体の意匠が統一されて違和感がなくなる。
【００１６】
請求項２記載の発明によれば、冷蔵庫とカウンターとを分離して冷蔵庫を空間に対して出し入れ可能としたため、冷蔵庫のメンテナンス時等においては、該冷蔵庫を空間から容易に取り出すことができる。
【００１７】
請求項３記載の発明によれば、冷蔵庫の扉を引き出し式としたため、冷蔵庫の奥に収納した物でも容易に取り出すことができる。
【００１８】
請求項４記載の発明によれば、冷蔵庫の上の空間をキッチン作業でのサポートスペースとして有効に利用することができる。
【００１９】
請求項５記載の発明によれば、カウンター上に収納棚を設置したため、冷蔵庫の上の空間を食器や家電機器等の収納スペースとして有効に利用することができる。
【発明を実施するための最良の形態】
【００２０】
以下に本発明の実施の形態を添付図面に基づいて説明する。
【００２１】
＜実施の形態１＞
図１は本発明の実施の形態１に係る冷蔵庫の設置構造を示すキッチンの平面図、図２は図１の矢視Ａ−Ａ線方向の図、図３は図１の矢視Ｂ方向の図である。
【００２２】
図１に示す対面型のキッチンにおいては、横方向に長い（本実施の形態では、幅寸法２５５０ｍｍ）キッチンカウンター１の背面側（図１の上側）には、人が立つスペース（本実施の形態では、幅９００ｍｍのスペース）を開けて横方向に長い横型の冷蔵庫２がキッチン壁Ｗ（図３参照）に沿って配置されている。
【００２３】
上記キッチンカウンター１上の幅方向の略中央部には、図１に示すように、矩形凹状のシンク３が設けられ、一端部には加熱機器４が配置されており、これらのシンク３と加熱機器４の間のキッチンカウンター１上のスペースは調理スペースとなっている。そして、図３に示すように、前記シンク３の前方には水栓５が立設されており、前記加熱機器４の上方にはレンジフード６が設けられている。
【００２４】
キッチンカウンター１の背面側には、図２に示すように、垂直に起立する左右の支持板（化粧板）７によって横方向に長い矩形平板状のカウンター８が水平に支持されており、これらの支持板７とカウンター８、キッチン壁Ｗ及び床面Ｆ（図３参照）によって、前面が開口する横方向に長い矩形の空間Ｓが形成されている。尚、本実施の形態では、カウンター８の高さ寸法はキッチンカウンター１の高さに合わせて１０００ｍｍに設定され、空間Ｓの開口幅は１８００ｍｍに設定されている（図２参照）。
【００２５】
そして、上記空間Ｓ内に横方向に長い横型の前記冷蔵庫２が収納されており、この冷蔵庫２の周囲には前記支持板７及び前記カウンター８との間に所定の隙間が形成されている。従って、冷蔵庫２は、支持板７及びカウンター８とは分離されており、これを空間Ｓに対して自由に出し入れすることができる。
【００２６】
又、冷蔵庫２の前面には、大小４つの引き出し式の扉２ａ，２ｂ，２ｃ，２ｄが設けられており、各引き出しの手前側には、シンク３やガステーブル４或は調理スペースにおいて良く使用される食材が収納されている。
【００２７】
ところで、図２に示すように、冷蔵庫２の横には引き出し式の収納庫９が配置されており、この収納庫９の上の空間Ｓ１は炊飯器１０や電気ポット１１等の各種家電機器を配置するスペースとして利用されている。尚、図示しないが、この空間Ｓ１を形成する壁面にはコンセントが設置されている。
【００２８】
又、冷蔵庫２の上のカウンター８は作業台となっており、そのカウンター８の上方には前面が開口する矩形の空間Ｓ２が形成されており、この空間Ｓ２はキッチン作業でのサポートスペースとして有効に利用されるよう構成されている。そして、この空間Ｓ２の横には、前面が開口する空間Ｓ３が形成されており、この空間Ｓ３は電子オーブンレンジ１２等の家電機器を収納するスペースとして利用されている。尚、図示しないが、この空間Ｓ３を形成する壁面にもコンセントが設置されている。
【００２９】
そして、両空間Ｓ２，Ｓ３の上方の最上部には、左右２つの電動昇降吊戸１３がキッチン壁Ｗに沿って配置されている。これらの電動昇降吊戸１３は、これに対して食器等を出し入れする場合には、電動によって図３に破線にて示すように前側に降りて来ることができ、これに対する物の出し入れが終わると、電動によって上昇して元の位置に復帰し、前記空間Ｓ２，Ｓ３の利用を妨げることがない。
【００３０】
以上のように、本実施の形態においては、垂直に起立する左右の支持板７と該支持板７によって水平に支持されたカウンター８とで空間Ｓを形成し、その空間Ｓ内に横方向に長い横型の冷蔵庫２を収納する構成を採用したため、この横型の冷蔵庫２を従来のようにキッチンの背面の端ではなく略中央に配置することができ、該冷蔵庫２とキッチンカウンター１上の調理スペース間の作業動線が短縮されて作業効率が高められる。
【００３１】
又、横方向に長い横型の冷蔵庫２の高さが従来の縦型の冷蔵庫１０２（図７参照）の高さよりも低いため、その上方の空間Ｓ２をキッチン作業でのサポートスペースとして有効に利用することができる。
【００３２】
更に、横方向に長い横型の冷蔵庫２は周りに溶け込んで目立つことがないため、該冷蔵庫２を含めたキッチン、ダイニング及びリビング全体の意匠が統一されて違和感がなくなる。
【００３３】
又、冷蔵庫２と支持板７及びカウンター８とを分離して冷蔵庫２を空間Ｓに対して出し入れ可能としたため、冷蔵庫２のメンイナンス時等においては、該冷蔵庫２を空間Ｓから容易に取り出すことができる。そして、冷蔵庫２に対するメンテナンスが終了すると、該冷蔵庫２を奥側に押してこれを空間Ｓに再び収納することができる。
【００３４】
その他、本実施の形態では、冷蔵庫２の扉２ａ〜２ｄを引き出し式としたため、冷蔵庫２の奥に収納した物でも容易に取り出すことができる。又、引き出しに収納した食材が見易くなるため、食材を使い忘れてその賞味期限が切れてしまう等の不具合の発生が防がれる。
【００３５】
尚、本実施の形態では、カウンター８を左右の支持板７によって水平に支持することによって空間Ｓを形成したが、カウンター８を支持する手段としては、フレームやキッチン壁Ｗに取り付けられたＬアングル等の支持手段を用いることもできる。
【００３６】
＜実施の形態２＞
次に、本発明の実施の形態２を図４に基づいて説明する。
【００３７】
図４は本発明の実施の形態２に係る冷蔵庫の配置構造を示す正面図であり、本図においては図２に示したものと同一要素には同一符号を付し、以下、それらについての説明は省略する。
【００３８】
本実施の形態は、本発明を前記実施の形態１よりも幅広のキッチンに対して適用したものであって、冷蔵庫２と収納庫９及び空間Ｓ１との間に上下２段の引き出し式の別の収納庫１４を新たに配置するとともに、空間Ｓ３の上方の電動昇降吊戸１３の横（コーナー部）に上下開閉式の収納庫１５を新たに配置したことを特徴としている。
【００３９】
而して、本実施の形態においても、横方向に長い冷蔵庫２を配置したため、前記実施の形態１と同様の効果が得られる。
【００４０】
＜実施の形態３＞
次に、本発明の実施の形態３を図５に基づいて説明する。
【００４１】
図５は本発明の実施の形態３に係る冷蔵庫の配置構造を示す正面図であり、本図においては図４に示したものと同一要素には同一符号を付し、以下、それらについての説明は省略する。
【００４２】
本実施の形態は、カウンター８上に左右一対の収納棚１６を設置した点のみが前記実施の形態２と異なり、他の構成は実施の形態２と同様である。
【００４３】
而して、本実施の形態によれば、冷蔵庫２の上の空間を食器や家電機器等の収納スペースとして有効に利用することができる他、キッチンでの作業効率を高めることができるとともに、冷蔵庫２を含めたキッチン、ダイニング及びリビング全体の意匠を統一することができるという前記実施の形態１，２と同様の効果が得られる。
【図面の簡単な説明】
【００４４】
【図１】本発明の実施の形態１に係る冷蔵庫の設置構造を示すキッチンの平面図である。
【図２】図１の矢視Ａ−Ａ線方向の図である。
【図３】図１の矢視Ｂ方向の図である。
【図４】本発明の実施の形態２に係る冷蔵庫の配置構造を示す正面図である。
【図５】本発明の実施の形態３に係る冷蔵庫の配置構造を示す正面図である。
【図６】従来の冷蔵庫の設置構造を示すキッチンの平面図である。
【図７】図６の矢視Ｃ−Ｃ線方向の図である。
【符号の説明】
【００４５】
１          キッチンカウンター
２          冷蔵庫
２ａ〜２ｄ  冷蔵庫の扉
３          シンク
４          加熱機器
５          水栓
６          レンジフード
７          支持板（化粧板）
８          カウンター
９          収納庫
１０        炊飯器
１１        電気ポット
１２        電子オーブンレンジ
１３        電動昇降吊戸
１４，１５  収納庫
１６        収納棚
Ｆ          床面
Ｓ          空間
Ｓ１〜Ｓ３  空間
Ｗ          キッチン壁
【図１】
2007292376.tif 000003
【図２】
2007292376.tif 000004
【図３】
2007292376.tif 000005
【図４】
2007292376.tif 000006
【図５】
2007292376.tif 000007
【図６】
2007292376.tif 000008
【図７】
2007292376.tif 000009